(57)【特許請求の範囲】
【請求項１】
情報を読み取る読取手段と、画像を含む広告情報を表示する表示手段とを有すると共に、指令に応じて前記読取手段に処理情報を読み取らせ、前記広告情報を前記表示手段に送出する情報処理装置の挿脱部に挿入可能な携帯用メモリ媒体であって、
当該携帯用メモリ媒体は、
各種情報が記憶される情報記憶エリヤと、
前記処理情報が第一の広告情報を所定の方式で前記表示手段に表示させる第一表示処理を有するプログラムである広告表示プログラム、及び自動起動スクリプトが記憶されるシステムエリヤとを備え、
携帯用メモリ媒体が情報処理装置に接続されたとき、携帯用メモリ媒体のＣＰＵから認識制御信号を送出し、情報処理装置のＣＰＵが、前記認識制御信号を受けて、情報処理装置に携帯用メモリ媒体が接続されたことを認識した後、携帯用メモリ媒体のＣＰＵが、システムエリヤに記憶された自動起動スクリプトのファイルを携帯用メモリ媒体のインターフェースに与え、
情報処理装置のＣＰＵは、前記自動起動スクリプトからの指令により、携帯用メモリ媒体の前記システムエリヤに保存されている広告表示プログラムを指定して、当該広告表示プログラムの実行を開始させることによって予め前記システムエリヤに記憶された広告表示データを情報処理装置側に読み出すと共に、広告表示データに含まれる広告表示ファイルをグラフィックコントローラに送出し、当該グラフィックコントローラは、前記広告表示ファイルを受けて、表示手段に第一の広告情報を表示させ、
前記広告表示プログラムは、前記第一の広告情報が所定時間表示された後に使用者が前記表示手段に表示された指示に従うことにより情報記憶エリヤ内に記憶された情報にアクセスすることができるようにするための専用画面を生成する画面生成処理と、当該専用画面を介してのみ前記情報記憶エリヤ内において各種情報の作成、変更及び削除を許可する許可処理とを有し、
前記第一の広告情報が前記表示手段に表示された後にのみ前記情報記憶エリヤ内において各種情報の作成、変更及び削除ができる
ことを特徴とする携帯用メモリ媒体。
【請求項２】
前記広告表示プログラムが、前記第一の広告情報の表示された後に前記表示手段に専用画面を生成する画面生成処理と、
当該専用画面を介してのみ前記情報記憶エリヤ内において各種情報の作成、変更及び削除を許可する許可処理とを有する
ことを特徴とする請求項１に記載の携帯用メモリ媒体。
【請求項３】
前記第一の広告情報が表示されている表示手段には、前記画面生成処理を実行し、専用画面を生成するための許可ボタンが配置されている
ことを特徴とする請求項２に記載の携帯用メモリ媒体。
【請求項４】
前記第一の広告情報が表示されている表示手段には、第一の広告情報に関連した外部広告情報に接続可能な接続ボタンが配置されていることを特徴とする請求項２又は３の何れかに記載の携帯用メモリ媒体。
【請求項５】
前記広告表示プログラムが、前記専用画面には前記第一の広告情報に関連した第二の広告情報を表示する第二表示処理を有する
ことを特徴とする請求項２から４の何れかに記載の携帯用メモリ媒体。
【請求項６】
前記第二の広告情報が、前記広告表示プログラム内に予め書き込まれていることを特徴とする請求項５に記載の携帯用メモリ媒体。
【請求項７】
前記第二の広告情報が、前記情報記憶エリヤ内に予め書き込まれていることを特徴とする請求項５に記載の携帯用メモリ媒体。
【請求項８】
前記第一の広告情報が、前記広告表示プログラム内に予め書き込まれていることを特徴とする請求項１から７の何れかに記載の携帯用メモリ媒体。
【請求項９】
前記第一の広告情報が、前記情報記憶エリヤ内に予め書き込まれていることを特徴とする請求項１から７の何れかに記載の携帯用メモリ媒体。
【請求項１０】
前記情報処理装置が、情報処理装置であることを特徴とする請求項１から９の何れかに記載の携帯用メモリ媒体。
【請求項１１】
前記携帯用メモリ媒体が、ＵＳＢメモリ媒体であることを特徴とする請求項１から１０の何れかに記載の携帯用メモリ媒体。
【発明の詳細な説明】
【技術分野】
【０００１】
本発明は、内部に情報記憶エリヤを備え、パーソナルコンピュータ（以下、パソコンという）等の情報処理装置に接続可能な携帯用メモリ媒体に関する。
【背景技術】
【０００２】
サービス品として使用者に提供したＵＳＢメモリ媒体にあらかじめ広告宣伝用のデータを保存しておき、この広告宣伝用のデータをパソコン内へ自動保存させる広告手段を備えたＵＳＢメモリがある。パソコンに保存された広告宣伝用のデータは、当該データを表すアイコンを使用者がクリックしたとき、ディスプレイ上に画像情報やコンテンツを表示させる、といったことが可能である。
【０００３】
【特許文献１】特開２００３−１１１４２６号公報
【発明の概要】
【発明が解決しようとする課題】
【０００４】
ところが、この画像情報が広告であった場合、使用者に関心が無ければ直ぐに消去されて、広告内容を全くアピールできないおそれがあった。よって、このようなＵＳＢメモリ媒体を提供する意味がなくなるという問題が残されていた。
【０００５】
また、この広告情報のデータは、使用者が再生操作しなければ見ることができないので、使用者の意志に任せざるを得ず、広告の存在そのものが無視される場合もあった。従って、使用者にとって有益であるか否かの判断を促す前に、関心を抱かせることもできずに消去され、広告情報が無駄になるという欠点があった。
【課題を解決するための手段】
【０００６】
そこで前記課題を解決するために本発明に係る携帯用メモリ媒体は、情報を読み取る読取手段と、画像を含む広告情報を表示する表示手段とを有すると共に、指令に応じて前記読取手段に処理情報を読み取らせ、前記広告情報を前記表示手段に送出する情報処理装置の挿脱部に挿入可能な携帯用メモリ媒体であって、当該携帯用メモリ媒体は、各種情報が記憶される情報記憶エリヤと、前記処理情報が第一の広告情報を所定の方式で前記表示手段に表示させる第一表示処理を有するプログラムである広告表示プログラム、及び自動起動スクリプトが記憶されるシステムエリヤとを備え、携帯用メモリ媒体が情報処理装置に接続されたとき、携帯用メモリ媒体のＣＰＵから認識制御信号を送出し、情報処理装置のＣＰＵが、前記認識制御信号を受けて、情報処理装置に携帯用メモリ媒体が接続されたことを認識した後、携帯用メモリ媒体のＣＰＵが、システムエリヤに記憶された自動起動スクリプトのファイルを携帯用メモリ媒体のインターフェースに与え、情報処理装置のＣＰＵは、前記自動起動スクリプトからの指令により、携帯用メモリ媒体の前記システムエリヤに保存されている広告表示プログラムを指定して、当該広告表示プログラムの実行を開始させることによって予め前記システムエリヤに記憶された広告表示データを情報処理装置側に読み出すと共に、広告表示データに含まれる広告表示ファイルをグラフィックコントローラに送出し、当該グラフィックコントローラは、前記広告表示ファイルを受けて、表示手段に第一の広告情報を表示させ、前記広告表示プログラムは、前記第一の広告情報が所定時間表示された後に使用者が前記表示手段に表示された指示に従うことにより情報記憶エリヤ内に記憶された情報にアクセスすることができるようにするための専用画面を生成する画面生成処理と、当該専用画面を介してのみ前記情報記憶エリヤ内において各種情報の作成、変更及び削除を許可する許可処理とを有し、前記第一の広告情報が前記表示手段に表示された後にのみ前記情報記憶エリヤ内において各種情報の作成、変更及び削除ができることを特徴とする。
【０００７】
情報記憶エリヤに記憶される各種情報は、携帯用メモリ媒体内に保存しておきたいと思う任意の記録データであるが、下記に説明するように第一及び第二の広告情報が含まれていても良い。
【０００８】
第一の広告情報は、使用者が携帯用メモリ媒体を入手して情報処理装置の挿脱部に初めて挿入されたときに表示手段に表示されるが、その後、携帯用メモリ媒体が挿脱部に挿入される度にも必ず表示されることとしても好ましい。また、第一の広告情報が表示手段に表示される回数を、携帯用メモリ媒体が挿脱部に挿入される回数を、例えば２回、３回等の回数を上限として設定してもよい。
【０００９】
使用者が携帯用メモリ媒体を入手して情報処理装置の挿脱部に初めて挿入されたときに第一の広告情報が表示手段に表示されれば少なくとも一回は必ず宣伝することができる。また、その後も携帯用メモリ媒体が情報処理装置の挿脱部に挿入される度に繰り返し第一の広告情報が表示されることによって、宣伝効果をより強めることができる。一方、第一の広告情報が表示される回数の上限を定めて設定することによって、使用者が携帯用メモリ媒体を通常の各種情報の保存目的に使用する琴に対する利便性を確保することができる。これによって使用者が本発明に係る携帯用メモリ媒体を提供する複数の提供者からそれぞれ入手することに対する抵抗感を軽減することができる。
【００１０】
また、前記広告表示プログラムが、前記第一の広告情報の表示された後に前記表示手段に専用画面を生成する画面生成処理と、当該専用画面を介してのみ前記情報記憶エリヤ内において各種情報の作成、変更及び削除を許可する許可処理とを有することとしても好ましい。
【００１１】
専用画面は、使用者が当該専用画面上に表示された指示に従うことにより情報記憶エリヤ内に記憶された情報にアクセスすることができるようにするためのものである。携帯用メモリ媒体を使用する際には第一の広告情報が表示された後、表示手段に表示される専用画面を介して各種情報の新規作成や編集を行えるので、提供者は第一の広告情報を削除されずに表示できる一方、使用者にとっては抵抗感なく利用できる。
【００１２】
第一の広告情報が表示された表示手段には、許可ボタンを配置することが好ましい。許可ボタンは、表示手段上に擬似的に押しボタン型の画像によって表示されていることが好ましいが、表示手段の画面全体を許可ボタンとしてもよい。
【００１３】
また第一の広告情報が表示された表示手段には、第一の広告情報に関連した外部広告情報と接続可能な接続ボタンが表示されていることが好ましい。外部広告情報は、第一の広告情報の掲載者が所有しているホームページ、若しくは第一の広告情報に掲載されている商品購入のためのページ等であり、接続ボタンを選択することによってインターネットなどのネットワーク回線を介して利用することができるものである。
【００１４】
なお、接続ボタンは、表示手段上に擬似的に押しボタン型の画像によって表示されていることが好ましいが、専用画面全体を接続ボタンとしてもよい。なお、接続ボタンと許可ボタンは視覚的に区別できるように配置されていることが好ましい。
【００１５】
前記広告表示プログラムが画面生成処理を有している場合には、前記専用画面には前記第一の広告情報に関連した第二の広告情報を表示する第二表示処理を有することが好ましい。
この第二の広告情報を第一の広告情報に続く広告として専用画面に表示するので、使用者に対し広告情報をより強くアピールすることができるからである。
【００１６】
前記第二の広告情報が、前記広告表示プログラム内に予め書き込まれていることが好ましい。
この第二の広告情報を、削除されることなく第一の広告情報の関連広告として使用者に印象づけることができるからである。
【００１７】
前記第二の広告情報が、前記情報記憶エリヤ内に予め書き込まれていることが好ましい。
使用者が自ら選択して第二の広告情報を見ることができるからである。なお、第二の広告情報が情報記憶エリヤ内に書き込まれている場合であっても、使用者による第二の広告情報の削除はできないように保護手段が施されていることが好ましい。
【００１８】
前記第一の広告情報が、前記広告表示プログラム内に予め書き込まれていることが好ましい。
自動起動スクリプトが、情報処理装置を自動起動させたとき、直ぐに表示手段に第一の広告情報が表示されるので、使用者に削除されることなく早期に第一の広告情報を表示できるからである。
【００１９】
前記第一の広告情報が、前記情報記憶エリヤ内に予め書き込まれていることが好ましい。
使用者が情報記憶エリヤ上で情報の新規作成や編集を行うときにも表示し得るので、起動時以外でも広告情報をアピールすることができるからである。なお、第一の広告情報が情報記憶エリヤ内に書き込まれている場合であっても、使用者による第一の広告情報の削除はできないように保護手段が施されていることが好ましい。
【００２０】
前記広告表示プログラム及び自動起動スクリプトは、汎用プログラムによっては削除できない防御プログラムを有することが好ましい。
普及型の情報処理装置を使用する際も広告表示プログラムと自動起動スクリプトが削除されずに保護されるので、第一の広告情報及び第二の広告情報を社会に広くアピールすることができるからである。
【００２１】
前記情報処理装置が、パーソナルコンピュータであることが好ましい。
このパーソナルコンピュータは、汎用性を有しているので、第一の広告情報及び第二の広告情報を社会により広くアピールすることができるからである。
【００２２】
前記携帯用メモリ媒体が、ＵＳＢメモリ媒体であることが好ましい。
このＵＳＢメモリ媒体は、廉価に製造することができることから、第一の広告情報及び第二の広告情報を社会により幅広くアピールすることができるからである。
【発明の効果】
【００２３】
本発明によると、使用者が情報処理装置の挿脱部に挿入して携帯用メモリ媒体を使用するときは、常に広告情報を見ることになり、携帯用メモリ媒体の提供者が所望とする広告宣伝を行うことができる。
【００２４】
さらに、広告情報を内蔵することによる広告収入を製造コストに振り分けることにより、携帯用メモリ媒体は、廉価あるいは無償で提供可能となり、より多くの使用者に使用を促すことができるため、広告宣伝媒体としても社会に広く普及させることができる。
【００２５】
また、前記広告表示プログラムが、画面生成処理を有していることにより、第一の広告情報が表示された後に表示手段に表示される専用画面を介してのみ各種情報の新規作成や編集が可能なので、使用者に対して第一の広告情報を必ず見せて宣伝することができる。
【００２６】
第一の広告情報が表示されている表示手段に許可ボタンを配置することにより、専用画面を生成するタイミングを使用者が任意に決めることができ、第一の広告情報の内容を十分に確認することができる。
【００２７】
第一の広告情報が表示されている表示手段に接続ボタンを配置することにより、第一の広告情報を見た使用者は接続ボタンを選択することによって、第一の広告情報の掲載者が所有しているホームページ、若しくは第一の広告情報に掲載されている商品購入のためのページ等に、インターネットなどのネットワーク回線を介して利用することができるものである。
【００２８】
前記広告表示プログラムが、第一の広告情報に関連した第二の広告情報を表示する第二表示処理を有しており、この第二の広告情報を第一の広告情報に続く広告として専用画面に表示するので、使用者に対し広告情報をより強く印象づけることができる。
【００２９】
前記第二の広告情報が、前記広告表示プログラム内に予め書き込まれている場合には、自動起動スクリプトが情報処理装置を自動起動させた後、次の専用画面に表示されるので、削除されることなく第一の広告情報の関連広告として使用者にアピールすることができる。
【００３０】
前記第二の広告情報が、前記情報記憶エリヤ内に予め書き込まれている場合には、使用者が自ら選択して第二の広告情報を見ることができる。
【００３１】
前記第一の広告情報が、前記広告表示プログラム内に予め書き込まれている場合には、自動起動スクリプトが情報処理装置を自動起動させたとき、直ぐに表示手段に第一の広告情報が表示されるので、使用者に削除されることなく早期に第一の広告情報を表示することができる。
【００３２】
前記第一の広告情報が、前記情報記憶エリヤ内に予め書き込まれている場合には、使用者が情報記憶エリヤ上で情報の新規作成や編集を行うときにも表示し得るので、起動時以外でも広告情報をアピールすることができる。
【００３３】
本発明によれば、前記広告表示プログラム及び自動起動スクリプトは、汎用プログラムによっては削除できない防御プログラムを有しており、普及型の情報処理装置を使用する際も広告表示プログラムと自動起動スクリプトが削除されずに保護されるので、意図しない広告情報の削除を防止し、第一の広告情報及び第二の広告情報を社会に広くアピールすることができる。
【００３４】
前記情報処理装置が、パソコンであり、汎用性を有しているので、第一の広告情報及び第二の広告情報を社会により広くアピールすることができる。
【００３５】
前記携帯用メモリ媒体が、ＵＳＢメモリ媒体であり、廉価な普及品であることから、第一の広告情報及び第二の広告情報を社会により幅広くアピールすることができる。
【図面の簡単な説明】
【００３６】
【図１】携帯用メモリ媒体１の電気的構成を示すブロック線図である。
【図２】情報処理装置（パソコン１１）の電気的構成を示すブロック線図である。
【図３】情報処理装置（パソコン１１）の動作を説明するフローチャートである。
【図４】第一の広告情報Ａが表示された起動画面２４を示す説明図である。
【図５】第一の広告情報Ａ、許可ボタン２６、及び接続ボタン２７が表示された起動画面２４を示す説明図である。
【図６】第二の広告情報Ｂが表示手段（ディスプレイ１８）の一部に表示された専用画面２５を示す説明図である。
【発明を実施するための形態】
【００３７】
以下、本発明について実施例に基づき更に詳細に説明する。
図１は、本発明の一実施例に係る携帯用メモリ媒体の電気的構成を示すブロック線図である。
【００３８】
本実施形態における携帯用メモリ媒体は、汎用性を有するＵＳＢメモリ媒体１であって、図２に示すパーソナルコンピュータ（パソコン：ＰＣ）１１、その他のコンピュータ、プロジェクタ等の映像音響機器に接続される。このＵＳＢメモリ媒体１は、ＵＳＢインターフェース（ＵＳＢＩ／Ｆ）２、ＣＰＵ３、フラッシュメモリ４等を備えており、それぞれがバス１０で接続されている。
【００３９】
ＵＳＢインターフェース２は、デバイス側のＵＳＢコネクタであり、パソコン１１に設けられた挿脱部（図示省略）に挿入すると、そのＵＳＢインターフェース（ＵＳＢＩ／Ｆ）２２に接続される。
【００４０】
ＣＰＵ３は、フラッシュメモリ４の情報を処理する制御部であり、ＵＳＢインターフェース２からの入力情報を指令に応じて情報記憶エリヤ９に記憶させる。また、システムエリヤ５および情報記憶エリヤ９の情報を、ＵＳＢインターフェース２を介して前記パソコン１等の外部接続機器側に送出させる。
【００４１】
フラッシュメモリ４は、システムエリヤ５、自動起動スクリプト６、広告表示プログラム７、広告表示データ８、情報記憶エリヤ９等を有している。フラッシュメモリ４は、単一のメモリチップでもよく、また、複数のメモリチップから構成されていても良い。
システムエリヤ５は、書き換え不可能なエリヤであり、ファイルシステム情報やパーティション情報といったＵＳＢメモリ媒体１の機能制御に関するファイルが記憶されている。また、ＵＳＢメモリ媒体１の識別情報としてプロダクトＩＤ等も記憶されている。
【００４２】
このシステムエリヤ５には、指令情報である自動起動スクリプト６および広告表示プログラム７が予め書き込まれている。この自動起動スクリプト６は、ＵＳＢメモリ媒体１がパソコン１１のＵＳＢインターフェース２２に接続されたときに、パソコン１１のＣＰＵ１２に対しＵＳＢメモリ媒体１が挿入されたと認識させて、このパソコン１１を自動起動させる。
【００４３】
また、広告表示プログラム７は、自動起動スクリプト６中に実行を指定するプログラムであり、これらは汎用性を有するＯＳでは削除されない防御プログラムとなっている。従って、後述の第一表示処理および第二表示処理による第一の広告情報Ａおよび第二の広告情報Ｂが勝手に削除されることなく保護される。
【００４４】
広告表示プログラム７は、第一表示処理、第二表示処理および許可処理といった複数の情報処理を有しており、予め記憶された広告表示データをプログラムに応じて出力する。
【００４５】
即ち、第一表示処理では、図４又は図５に示すディスプレイ１８の画面（起動画面）２４に、第一の広告情報Ａを表示させる。第一の広告情報Ａとしては、企業名２４ａ、ロゴ２４ｂ、及びＣＭ（コマーシャルメッセージ）２４ｃのうちの少なくともいずれか一つを表示させることが好ましい。なお、ＣＭ２４ｃは、商品の紹介が主であるが、企業ＰＲその他の情報を付加してもよい。さらに、第一の広告情報Ａを動画像としてもよい。
【００４６】
起動画面２４には、図４に示すように第一の広告情報Ａのみが示されていても良い。この場合、第一の広告情報Ａが所定時間表示された後、自動的に専用画面２５に切り替わることが好ましい。
【００４７】
より好ましくは、図５に示すように、専用画面２５を生成するための許可ボタン２６が起動画面２４に設けられる。当該許可ボタン２６を設けることによって、使用者は専用画面２５を生成して情報記憶エリヤ９にアクセスするタイミングを自ら結成することができるため、第一の広告情報Ａの内容を十分に確認することができる。
【００４８】
許可処理は、この専用画面２５を介してのみ各種情報Ｄの保存、変更及び削除等の操作を許可する処理であり、各種情報Ｄは情報記憶エリヤ９内に記憶される。
すなわち、第一の広告情報Ａが表示されている間は、ＵＳＢメモリ媒体１に対して各種情報Ｄの新規保存、変更、及び削除を行なうことはできず、第一の広告情報Ａが表示された後に生成される専用画面２５上でのみ、各種情報Ｄの操作が許可される。
【００４９】
さらに、第一の広告情報Ａが表示されたディスプレイ１８には、許可ボタン２６の他に第一の広告情報Ａに示された詳しい商品情報が記載されたホームページへ接続可能な接続ボタン２７が設けられている。接続ボタン２７には予め商品情報が記載されたホームページのＵＲＬ（Ｕｎｉｆｏｒｍ  Ｒｅｓｏｕｒｃｅ  Ｌｏｃａｔｏｒ）が設定されている。第一の広告情報Ａの内容を確認して、その中に示された商品に興味を持った使用者は接続ボタン２７を押すことによりインターネットを介して当該ホームページを閲覧することができる。
【００５０】
また、第二表示処理では、図６の二点鎖線より下部に示すように専用画面２５の下部コーナー２５ｄに前記第一の広告情報Ａに関連した第二の広告情報Ｂを小さく表示させることができる。第二の広告情報Ｂは、前記企業名２４ａ、ロゴ２４ｂ及びＣＭ２４ｃのうちいずれを表示してもよいが、他の情報を付加してもよい。
【００５１】
前記広告表示データ８、８は、第一の広告情報Ａ及び第二の広告情報Ｂをファイル形式で記憶したもので、起動画面２４の表示ファイルおよび専用画面２５の表示ファイルとそれぞれ連携して動作し、ディスプレイ１８に広告情報を表示する。この広告表示データ８、８は、書き換え不可能であるから、ＵＳＢメモリ媒体１が接続されるパソコン１１または映像音響機器では消去されずに保護される。
【００５２】
専用画面２５では、下部コーナー２５ｄを除いて大きいスペースが書き換え可能な領域として表示される。従って、専用画面２５上で各種情報Ｄを入力して新規にファイルを作成したり、このファイルの内容を変更したり、消去するといった編集が可能となる。
【００５３】
なお、ディスプレイ１８に表示される広告画像に関連して、音声や楽曲をスピーカから放音させる音声データをファイル化して記憶することも可能である。このように音声データを記憶しておいて、ＣＭとともに音声や楽曲を放音させると、広告効果が高められる。
【００５４】
前記情報記憶エリヤ９は、フラッシュメモリ４が備える書き換え可能なエリヤであり、専用画面２５上で操作された各種情報Ｄを大容量記憶することができる。この情報記憶エリヤ９には、多種多様なデータをファイル形式で保存可能である。
よって、前記専用画面２５上で入力された情報、データを保存するとき、保存先にリムーバブルメモリを選択すると、ＵＳＢメモリ媒体１の情報記憶エリヤ９に記憶されることとなる。
【００５５】
図２は、情報処理装置の電気的構成を示すブロック線図である。
この情報処理装置は、汎用性を有したパソコン１１であって、ＣＰＵ１２、ＲＯＭ１３、ＲＡＭ１４、ＶＲＡＭ１５、入力機構１６、グラフィックコントローラ１７、ディスプレイ１８、ハードディスクドライブ１９、開閉機構２０、ネットワークインターフェース２１、ＵＳＢインターフェース２２等を備えており、それぞれがバス２３で接続されている。
【００５６】
ＣＰＵ１２は、装置全体の動作を制御するとともに、指令信号に応じた動作を実行する。このＣＰＵ１２は、ＲＯＭ１３に記憶されたＯＳをＲＡＭ１４に展開して、パソコン１１を制御する。また、ハードディスクドライブ１９に記憶されたプログラムに従って、情報処理や表示制御等を実行する。
【００５７】
グラフィックコントローラ１７は、ＶＲＡＭ１５をバッファとして用いることにより、ディスプレイ１８に画像を表示させる制御を実行する。
入力機構１６は、キーボードおよびマウス等の操作部であり、これらの操作に応じた指令をＣＰＵ１２に与える。
【００５８】
ディスクドライブ１９は、前述の動作の他に開閉機構２０により挿入されたディスクの情報を読み取ったり、また入力情報をディスクに書き込む処理を行う。
なお、図示省略しているが、オーディオコントローラを備えており、音声情報を受けてスピーカから放音させる音声を調整制御するようになっている。また、このパソコンは、普及型が有する一般的機能を備えている。
【００５９】
ネットワークインターフェース（ネットワークＩ／Ｆ）２１は、パソコン１１を有線方式のローカルエリヤネットワークに接続するためのインターフェースである。
ＵＳＢインターフェース（ＵＳＢＩ／Ｆ）２２は、パソコン１１側のＵＳＢコネクタであり、本体の一側部に設けられた図示省略の挿脱部にＵＳＢメモリ媒体１が挿入されると、バス２３を介してＣＰＵ１２と接続するようになっている。
【００６０】
次に、上記情報処理装置の動作について、図３のフローチャートを参照しつつ説明する。
使用者が、ＵＳＢメモリ媒体１を使用するとき、パソコン１１の電源をオンにしてから挿脱部にＵＳＢメモリ媒体１を挿入する。あるいは、挿脱部にＵＳＢメモリ媒体１を挿入してからパソコン１１の電源をオンにしてもよい。すると、図２に示すパソコン１１のＵＳＢインターフェース２２に、図１に示したＵＳＢメモリ媒体１のインターフェース２が接続される。
【００６１】
パソコン１１にＵＳＢメモリ媒体１が接続されたとき、ＵＳＢメモリ媒体１のＣＰＵ３から認識制御信号が送出される。パソコン１１のＣＰＵ１２は、認識制御信号を受けて、自機にＵＳＢメモリ媒体１が接続されたことを認識する（ステップＳ１１）。
続いて、ＵＳＢメモリ媒体１のＣＰＵ３が、システムエリヤ５の自動起動スクリプト６のファイルをＵＳＢメモリ媒体１のＵＳＢインターフェース２に与える。
【００６２】
パソコン１１のＣＰＵ１２は、ＵＳＢインターフェース２２に自動起動スクリプト６が入力すると、この自動起動スクリプト６を実行する（ステップＳ１２）。まず、ＣＰＵ１２は指令に従って各機能の自動起動、つまりオートランを開始する（ステップＳ１３）。
【００６３】
また、この自動起動スクリプト６では、ＵＳＢメモリ媒体１の広告表示プログラム７が指定されるので、この広告表示プログラム７の実行が開始される（ステップＳ１４）。すると、予め書き込まれた広告表示データ８がパソコン１１側に送出されてくる。
このパソコン１１のＣＰＵ１２は、読み出された広告表示データ８を受けて、最初に起動画面２４の広告表示ファイルをグラフィックコントローラ１７側に送出する（ステップＳ１５）。
【００６４】
このグラフィックコントローラ１７は、起動画面２４の広告表示ファイルを受けて、図４又は図５に示すディスプレイ１８の起動画面２４に第一の広告情報Ａを表示させる（ステップＳ１６）。これにより、起動画面２４には企業名２４ａ、ロゴ２４ｂおよびＣＭ２４ｃが表示される。
よって、使用者がＵＳＢメモリ媒体１を使用するときは、必ず第一の広告情報Ａを見ることになり、ＵＳＢメモリ媒体１の提供者が所望とする広告宣伝を行うことができる。
【００６５】
この後、パソコン１１のＣＰＵ１２は、広告の表示が終了したか否かを判別する（ステップＳ１７）。そして、広告の表示が終了したとき、許可ボタン２６が選択されるとＣＰＵ１２はグラフィックコントローラ１７に専用画面２５への切り替えを許可する指令が送られ、専用画面２５の広告表示ファイルを送出する。
【００６６】
これに応じて、グラフィックコントローラ１７は、起動画面２４から専用画面２５に切り替える（ステップＳ１８）。なお、図６の二点鎖線の下部に示す如く、専用画面２５の下部コーナー２５ｄに小さく企業名２５ａ、ロゴ２５ｂおよびＣＭ２５ｃ等を含む第二の広告情報Ｂを表示させることもできる（ステップＳ１９）。
【００６７】
ステップＳ１９により第二の広告情報Ｂが表示されれば、企業名２５ａ、ロゴ２５ｂおよびＣＭ２５ｃが、起動画面２４に続く広告として専用画面２５上に表示されるので、使用者に対し第一の広告情報Ａ及び第二の広告情報Ｂをより強く印象づけることができる。
そして、ＣＰＵ１２は、専用画面２５上での各種情報Ｄの保存などの操作を許可し（ステップＳ２０）、一連の広告表示動作を終了する。
【００６８】
この後、使用者が専用画面２５上で各種情報Ｄを操作すると、新規にデータを作成したり、データ変更したり、データ消去等を行うことができる。また、保存先にリムーバブルメモリを選択指定すると、ＵＳＢメモリ媒体１の情報記憶エリヤ９に記憶することができる。よって、使用者は、第一の広告情報Ａを見た後にＵＳＢメモリ媒体１を自在に活用できる。
【００６９】
このように、使用者がＵＳＢメモリ媒体１をパソコン１１に接続すると、直ぐにディスプレイ１８の起動画面２４に第一の広告情報Ａが表示される。ここでは、企業名２４ａ、ロゴ２４ｂとともにＣＭ２４ｃが表示されるので、使用者になんらの操作を強いることなく必ず一度は広告を見てもらうことができる。
【００７０】
また、使用者があえて起動画面２４上から第一の広告情報Ａを消去しようとしても、削除することはできないので、ＵＳＢメモリ媒体１をパソコン１１の挿脱部に挿入する度に常に同じ広告をアピールすることもできる。
さらに、第一の広告情報Ａを内蔵することによる広告収入を製造コストに振り分けることにより、ＵＳＢメモリ媒体１は、廉価あるいは無償で提供可能となり、より多くの使用者に使用を促すことができるため、広告宣伝媒体としても社会に広く普及させることができる。また、第一の広告情報Ｂをも内蔵すればＵＳＢメモリ媒体１の製造コストをより廉価にすることもできる。
【００７１】
なお、前記情報記憶エリヤ９内に、前述と同じく企業名２４ａ、ロゴ２４ｂ、ＣＭ２４ｃおよびサイン２４ｄの情報を予め書き込んでおいてもよい。そして、使用者がＵＳＢメモリ媒体１をパソコン１１に接続したとき、図４に示したように、直ぐにディスプレイ１８の起動画面２４に広告情報を表示させるプログラムとする。
【００７２】
以上のように、ＵＳＢメモリ媒体１は、廉価な普及品であるので、企業名２４ａ、ロゴ２４ｂ、ＣＭ２４ｃおよび商品名等を社会により幅広くアピールすることができる。また、ＵＳＢメモリ媒体１を接続するパソコン１１も、汎用性を有しているので、第一の広告情報Ａ及び第二の広告情報Ｂを社会により広くアピールすることができる。
【００７３】
なお、携帯用メモリ媒体は、ＵＳＢメモリ媒体１に限らず、リムーバブルメモリであれば、各種のフラッシュメモリに適用することができる。さらに、このＵＳＢメモリ媒体１を使用する情報処理装置も、パソコン１１に限定されるものではなく、プロジェクターその他の映像音響機器に幅広く適用できるのは勿論である。
【符号の説明】
【００７４】
１    携帯用メモリ媒体
６    自動起動スクリプト
７    広告表示プログラム
９    情報記憶エリヤ
２４  起動画面
２５  専用画面
２６  許可ボタン
２７  接続ボタン
Ａ    第一の広告情報
Ｂ    第二の広告情報
【図１】
0005158451.tif 000002
【図２】
0005158451.tif 000003
【図３】
0005158451.tif 000004
【図４】
0005158451.tif 000005
【図５】
0005158451.tif 000006
【図６】
0005158451.tif 000007